(57)【要約】      （修正有）【課題】携帯情報通信端末装置とＩＣカードとを一緒に収容してもＩＣカードの利用に支障を生じさせない、携帯機器用ケースを提供する。【解決手段】携帯機器用ケース１が、携帯情報通信端末装置を収容するために底部１１及び縁部１２により画成した第１収容部１３と、底部１１に矩形状の凹み１４ａを設けた第２収容部１４と、を備え、第２収容部１４に収容したＩＣカード２と第１収容部１３に収容した携帯情報通信端末装置４との間に携帯情報通信端末装置４が発する電波を反射させる電波遮蔽用シート３を介在させる。【選択図】図３
0003184922.tif 000002
【実用新案登録請求の範囲】
【請求項１】
携帯情報通信端末装置を収容するために底部及び縁部により画成した第１収容部と、上記底部に矩形状の凹みを設けた第２収容部と、を備え、
上記第２収容部に収容したＩＣカードと上記第１収容部に収容した携帯情報通信端末装置との間に、遮蔽用シートを介在させた、携帯機器用ケース。
【請求項２】
前記第２収容部の左右端部は、前記第１収容部の左右縁まで延びており、
前記第２収容部の上端部及び下端部は、前記第１収容部における底部の中間部に形成されている、請求項１に記載の携帯機器用ケース。
【請求項３】
前記第２収容部はＩＣカードの厚みよりも深く、該第２収容部にＩＣカード及び遮蔽用シートが収容される、請求項１に記載の携帯機器用ケース。
【請求項４】
前記第２収容部の上端部及び下端部の何れか一方にはステップが刻まれており、上記ステップが前記遮蔽用シートの位置決めに供される、請求項１に記載の携帯機器用ケース。
【考案の詳細な説明】
【技術分野】
【０００１】
本考案は、携帯情報通信端末装置とＩＣカードとを収容する携帯機器用ケースに関する。
【背景技術】
【０００２】
スマートフォンなどの携帯情報通信端末装置は、身近な通信手段として広く一般に普及している。携帯情報通信端末装置は同じような形状をしていることから、他人の携帯情報通信端末装置と混同しないようにするために、またはユーザの好みに合わせるために、多種多様なケースが販売されている。
【０００３】
一方、バス、電車などの公共交通機関のチケットや定期券として、またショッピングにおいて前払い式のプリペイドカードとして、ＩＣカードが普及している。ＩＣカードとリーダーライターとの間で電波により情報が送受信され、ＩＣカード内のチップ中の情報が読み出され、ＩＣカード内の情報が必要に応じて書き換えられる。このようにＩＣカードの普及により、消費者行動の分析がより実効的に行え、新たなマーケティング戦略も立案することができるようになってきている。
【０００４】
このような状況下において、携帯情報通信端末装置がＩＣカードの機能を有するものも提供されている。また、携帯機器用ケースに周回状に溝部を設け、溝部にアンテナを配置することにより、携帯機器用ケースにＩＣモジュールを配備することも考えられている（例えば、特許文献１）。
【先行技術文献】
【特許文献】
【０００５】
【特許文献１】実用新案登録第３１８２２４７号公報
【考案の概要】
【考案が解決しようとする課題】
【０００６】
しかしながら、携帯機器用ケースに携帯情報通信端末装置とＩＣカードとを収容して持ち歩いても、リーダーライターとＩＣカードとの情報を送受信させるためには、ＩＣカードを携帯機器用ケースから取り出してＩＣカードだけをリーダーライターに向ける必要がある。
【０００７】
そこで、本考案では、携帯情報通信端末装置とＩＣカードとをケース内に一緒に収容しても、ＩＣカードの利用に支障を生じさせない、携帯機器用ケースを提供することを目的とする。
【課題を解決するための手段】
【０００８】
上記目的を達成するために、本考案に係る携帯機器用ケースは、携帯情報通信端末装置を収容するために底部及び縁部により画成した第１収容部と、底部に矩形状の凹みを設けた第２収容部と、を備え、第２収容部に収容したＩＣカードと第１収容部に収容した携帯情報通信端末装置との間に、遮蔽用シートを介在させたことを特徴とする。
【０００９】
上記構成において、第２収容部の左右端部は、第１収容部の左右縁まで延びており、第２収容部の上端部及び下端部は、第１収容部における底部の中間部に形成されている。
第２収容部はＩＣカードの厚みよりも深く、第２収容部にＩＣカード及び遮蔽用シートが収容される。
第２収容部の上端部及び下端部の何れか一方にはステップが刻まれており、ステップが遮蔽用シートの位置決めに供される。
【考案の効果】
【００１０】
本考案によれば、第２収容部にＩＣカードを収容し、第１収容部に携帯情報通信端末装置を収容し、その際、ＩＣカードと携帯情報通信端末装置との間に遮蔽用シートが介在されている。従って、リーダーライターからの電波がＩＣカードのみに作用し、携帯情報通信端末装置からの電波がカードリーダーライターに侵入しない。よって、ＩＣカードと携帯情報通信端末装置を一緒に携帯機器用ケースに収容しても、ＩＣカードの使用に支障をきたさない。
【図面の簡単な説明】
【００１１】
【図１】本考案の実施形態に係る携帯機器用ケースの斜視図である。
【図２】図１に示す携帯機器用ケースの断面を示し、（ａ）はＡ−Ａ線断面図、（ｂ）はＢ−Ｂ線断面図である。
【図３】図１に示す携帯機器用ケースの使用態様を示すための図である。
【図４】携帯機器用ケースにＩＣカード及び携帯情報通信端末装置を収容した状態を模式的に示す断面図である。
【図５】本考案の別の実施形態に係る携帯機器用ケースの断面を示し、（ａ）はＡ−Ａ線断面図、（ｂ）はＢ−Ｂ線断面図であり、（ｃ）は（ａ）の拡大断面図、（ｄ）は（ｂ）の拡大断面図である。
【図６】携帯機器用ケースの平面視を模式的に示す図であり、（ａ）は舌状の係止部の場合を、（ｂ）は鍔状の係止部の場合を示している。
【考案を実施するための形態】
【００１２】
以下、図面を参照しながら本考案の実施形態を説明する。図１は本考案の実施形態に係る携帯機器用ケースの斜視図であり、図２は、図１に示す携帯機器用ケースの断面を示し、（ａ）はＡ−Ａ線断面図、（ｂ）はＢ−Ｂ線断面図である。
【００１３】
本考案の実施形態に係る携帯機器用ケース１は、図１に示すように、ケース本体１０を備えており、ケース本体１０は、底部１１の外周から立設した縁部１２と底部１１とが一体成形されて成っている。ケース本体１０は、収容する携帯情報通信端末装置の形状及び寸法に合った形状及び寸法を有する。
【００１４】
ケース本体１０は、底部１１及び縁部１２により画成した第１収容部１３と、底部１１の内側表面に矩形状の凹み１４ａを設けた第２収容部１４と、で構成される。第１収容部１３は携帯情報通信端末装置を収容するための空間であり、第２収容部１４はＩＣカードを収容するための空間である。
【００１５】
例えば、図１及び図２に示す形態において、第２収容部１４は底部１１の上端と下端とほぼ中間部に形成されている。これにより、携帯機器用ケース１の長手方向、つまり上下方向のほぼ中間部に、ＩＣカードを収容することができ、ユーザはＩＣカードをリーダーライターに作用させ易い。
【００１６】
縁部１２は、第１収容部１３に収容される携帯情報通信端末装置に応じて適宜分けて形成され、携帯情報通信端末装置における左右上下の各側面の各種操作ボタンに応じて構成される。図１に示す例では、平面視で左縁の中央やや上から左下のコーナーまで延びる左側縁部１２ａと、左上のコーナー部１２ｂと、右上のコーナー部から右下のコーナー部まで延びる右縁部１２ｃとにより、複数の部位に分離して形成されている。
【００１７】
本考案の実施形態では、底部１１は、背面から一定の厚さの領域である。底部１１は、情報通信端末装置を支持する上側底部１１ｂ及び下側底部１１ｃが設けられた領域である。中間底部１１ａは上側底部１１ｂ及び下側底部１１ｃよりも厚みを薄く、底部１１の中間部に矩形状の凹み１４ａが形成されている。
【００１８】
中間底部１１ａの左右方向端は、左側縁部１２ａ及び右側縁部１２ｃの各内端面近傍まで延びている。その際、図２（ａ）に示すように、左右側壁部１１ｄが左側縁部１２ａ，右側縁部１２ｃよりも僅かに厚くし、左右側壁部１１ｄの内面よりも左右側縁部１２ａ，１２ｃの端面が内側に出ていることにより、ケース本体１０の左右方向の強度を維持することができる。
【００１９】
図３は図１に示す携帯機器用ケース１の使用態様を示すための図であり、図４は携帯機器用ケース１にＩＣカード及び携帯情報通信端末装置を収容した状態を模式的に示す断面図である。図３に示すように、ＩＣカード２がケース本体１０の第２収容部１４に収容され、その上に遮蔽用シート３が覆うように配置され、さらに、携帯情報通信端末装置４が第１収容部１３に収容される。
【００２０】
遮蔽用シート３は、携帯情報通信端末装置４が発する電波を透過させないで反射させるためのシートであればよく、例えば、シート状の基材に対して一又は複数の金属をコーティングしたものである。この遮蔽用シート３は、基材のうちコーティングがない面に接着層を形成しておき、この接着層を携帯情報通信端末装置４に貼り付けてもよい。
【００２１】
このように、ユーザが、携帯機器用ケース１にＩＣカード２及び携帯情報通信端末装置４を収容し、しかも、ＩＣカード２と携帯情報通信端末装置４との間に遮蔽用シート３を介在させておく。ユーザは携帯機器用ケース１にＩＣカード２及び携帯情報通信端末装置４を収容した状態でＩＣカード２をリーダーライターに対向させても、リーダーライターからの電波と携帯情報通信端末装置４からの電波とが混在することなく、リーダーライターとＩＣカード２との間で電波を用いて情報の送受信をすることができる。リーダーライターとＩＣカード２との間で送受信される情報としては、例えば交通機関の改札入場の際の情報、出場の際の情報、各場合でのチャージ料の減額量などがある。
【００２２】
このような携帯機器用ケース１において、第２収容部１４はＩＣカード２の厚さよりも僅かに深くしておくことが好ましい。第２収容部１４にＩＣカード２及び遮蔽用シート３を収容した際、遮蔽用シート３の上面が上側底部１１ｂ，下側底部１１ｃよりも突出しないためである。
【００２３】
本考案に係る携帯機器用ケースは上述に限らず適宜変更してもよい。図５は本考案の別の実施形態に係る携帯機器用ケースの断面を示し、（ａ）はＡ−Ａ線断面図、（ｂ）はＢ−Ｂ線断面図であり、（ｃ）は（ａ）の拡大断面図、（ｄ）は（ｂ）の拡大断面図である。図５において図２と同一又は対応するものには同一の符号を付している。
【００２４】
図５に示すように、第２収容部１４が上下の壁部２１と左右の壁部２４とにより中間底部１１ａを囲んで形成される。左右の壁部２１の何れか一方又は双方に、遮蔽用シート３の左端、右端の何れかをそれぞれ挿入する空間２２が設けられ、さらに好ましくは、上下の底部１１ｂ，１１ｃと同じ高さに係止部２３が設けられる。
【００２５】
第２収容部１４の左右方向の中間部には係止部２３が設けられ、係止部２３の鉛直下の空間２２に遮蔽用シート３の左右端の何れか一方が挿入される。これにより、遮蔽用シート３を第２収容部１４に位置決めすることができる。その際、係止部２３を設けないで、左右の壁部２１にステップを刻んで空間２２だけを形成しても遮蔽用シート３を左右方向に移動し難くし、携帯情報通信端末装置４の電波を遮断することができる。
【００２６】
また、上下の壁部２４の何れか一方又は双方に、遮蔽用シート３の上端、下端の何れかをそれぞれ挿入する空間２５が設けられ、さらに好ましくは、上下の底部１１ｂ，１１ｃと同じ高さに係止部２６が設けられる。
【００２７】
第２収容部１４の上下方向の中間部には係止部２６が設けられ、係止部２６の鉛直下の空間２５に遮蔽用シート３の上下端の何れか一方が挿入される。これにより、遮蔽用シート３を第２収容部１４に位置決めすることができる。その際、係止部２３を設けないで、上下の壁部２４にステップを刻んで空間２５だけを形成しても遮蔽用シート３を左右方向に移動し難くし、携帯情報通信端末装置４の電波を遮断することができる。
【００２８】
ここで、ＩＣカード２は、使用態様に応じて前払い式のチャージ用機器に挿入することが必要になる。そのため、携帯機器用ケース１からＩＣカード２を取り出し易くしなければならない。
【００２９】
図６は携帯機器用ケースの平面視を模式的に示す図であり、（ａ）は舌状の係止部の場合を、（ｂ）は鍔状の係止部の場合を示している。図６（ａ）に示すように、係止部３３ａ，３３ｂは、ケース本体３１の第２収容部３４の上端部と下端部にそれぞれ左右方向で異なる位置で内側に突出するように設けられている。これにより、ユーザがケース本体３１から携帯情報通信端末装置４を取り出しても係止部３３ａ，３３ｂが遮蔽用シート３を位置決めし、離脱し難くしている。そこで、ユーザが指先で遮蔽用シート３の表面を押圧しながら指先の摩擦力を利用して摘まみ上げる。これにより、遮蔽用シート３が取り除かれＩＣカード２をチャージ用機器に挿入することができる。なお、係止部の位置等については適宜変更してもよい。また、係止部３３ａ，３３ｂの内側端の距離がＩＣカードの寸法と同程度又は僅かに大きくなるように、第２収容部３４の寸法を設定してもよい。
【００３０】
また係止部３３ｃは図６（ｂ）に示すように左右に延びた鍔状であってもよく、図６（ｂ）の場合には、第２収容部３４の上下端の何れか一方にだけ設けてもよい。その場合、係止部３３ｃの存在によりＩＣカードの下端部が引っ掛かりケースから離脱しないようにし、携帯機器用ケースを水平に保持したとき上端側の奥行き方向にスライドし、遮蔽用シート及びＩＣカードを容易に取り出しできるようにするとよい。このように取り出し可能にするために、不用意にＩＣカードが携帯機器用ケースから離脱しないようにするとよい。
【００３１】
以上のように、本考案の実施形態に係る携帯機器用ケースは、図示した形態に限らず、実用新案登録請求の範囲で特定した事項であれば適宜変更してもよい。なお、ケース本体は硬めのプラスチック樹脂や比較的変形自在なシリコン樹脂などの各種樹脂で一体成形するとよい。シリコン樹脂製で一体成形されている場合には、係止部３３ａ，３３ｂ，３３ｃが折れ難くＩＣカードを容易に出し入れすることができる。また第２収容部３４の平面視の寸法はＩＣカードと同程度か僅かに遊びを持たせるようにしてもよいし、係止部３３ａ、３３ｂ、３３ｃの寸法を加味して出し入れし易くかつ離脱しないようにするとよい。
【符号の説明】
【００３２】
１：携帯機器用ケース
２：ＩＣカード
３：遮蔽用シート
４：帯情報通信端末装置
１０，３１：ケース本体
１１：底部
１１ａ：中間底部
１１ｂ：上側底部
１１ｃ：下側底部
１１ｄ：左右側壁部
１２：縁部
１２ａ：左側縁部
１２ｂ：コーナー部
１２ｃ：右縁部
１３：第１収容部
１４ａ：凹み
１４，３４：第２収容部２１：左右の壁部
２２，２５：空間
２３，２６，３３ａ，３３ｂ，３３ｃ：係止部
２４：上下の壁部
【図１】
0003184922.tif 000003
【図２】
0003184922.tif 000004
【図３】
0003184922.tif 000005
【図４】
0003184922.tif 000006
【図５】
0003184922.tif 000007
【図６】
0003184922.tif 000008